(57)【要約】【課題】      落水したときに救命胴衣が身体の上方にずれることを防止し、顔を水面に出しやすい救命胴衣を提供すること。【解決手段】  救命胴衣１は、右前身頃２と左前身頃３と後身頃４を有し、左右側面の上方側に腕挿通口５ａ、５ｂが形成され、この近傍には、腕ベルト９が腕挿通口５ａ、５ｂを跨ぐように架設されている。腕挿通口５ａ、５ｂの腕ベルト９の上方側に腕を挿通することで腕ＵＤの腕挿通口５ａ、５ｂの下側への移動が規制され腕ベルト９によって腕ＵＤが下側から支えられることとなる。【選択図】        図１
2009132339.tif 000002
【特許請求の範囲】
【請求項１】
腕挿通口の周辺に前記腕挿通口に挿通した腕の下側を支持するベルト体を設けたことを特徴とする救命胴衣。
【請求項２】
ベルト体は、腕挿通口を跨いで取り付けられていることを特徴とする請求項１に記載の救命胴衣。
【発明の詳細な説明】
【技術分野】
【０００１】
本発明は、腕挿通口に挿通した腕の下側を支持するベルトを設け落水時に救命胴衣が身体の上方にずれてしまい顔が水面に出しにくくなることを防止した救命胴衣に関する。
【背景技術】
【０００２】
従来から船釣りや磯釣りを行う時には海難防止のためフローティングベストやフローティングジャケットなどの浮力体を有する救命胴衣を着用することが慣例化している。
【０００３】
これら救命胴衣は、股ベルト等が取り付けられ、落水したときに股ベルトによって救命胴衣がその浮力で身体の上方にずれないようになっている。
【０００４】
しかしながら、釣り用のフローティングベスト等は重ね着した服の外側に着るため、大きめのサイズを着たり、股ベルトをしていても落水したときに服が縮んで救命胴衣の内側に余裕が出来るため身体の上方にずれてしまい顔が水面に出しにくくなることがあった。
【特許文献１】実用新案出願公開  平４−３９９８９号公報
【発明の開示】
【発明が解決しようとする課題】
【０００５】
解決しようとする課題は、従来の救命胴衣は落水したときに身体の上方にずれるため顔を水面に出しにくいことである。
【０００６】
本発明の目的は前記欠点に鑑み、落水したときに救命胴衣が身体の上方にずれることを防止し顔を水面に出しやすい救命胴衣を提供することである。
【課題を解決するための手段】
【０００７】
上記課題を解決するために、
請求項１に係わる本発明は、腕挿通口の周辺に前記腕挿通口に挿通した腕の下側を支持するベルト体を設けたことを要旨とするものである。
請求項２に係わる本発明は、ベルト体は、腕挿通口を跨いで取り付けられていることを要旨とするものである。
【発明の効果】
【０００８】
本発明によると、落水したときに救命胴衣が身体の上方にずれることを防止し、容易に顔を水面に出すことができる。
【発明を実施するための最良の形態】
【０００９】
以下、本発明の実施形態を図面に基づき説明すると、図１、図２は本発明の第１実施例で、図１は救命胴衣の正面図、図２は救命胴衣の側面図である。
【００１０】
本願を図１、図２で説明すると、救命胴衣１は、右前身頃２と左前身頃３と後身頃４を有し、襟８の前側の正面上部の前あき部７から顔が出せるようになっている。
右前身頃２と左前身頃３は正面側の合わせ部Ａが開閉可能で、合わせ部Ａに沿ってチャックで形成した止着部Ａ１が設けられ、閉じることが出来るようになっている。
【００１１】
右前身頃２、左前身頃３と後身頃４は、側面で合わされて接合され、左右側面の上方側に腕挿通口５ａ、５ｂが形成され、救命胴衣１を身につけたとき腕ＵＤを挿通して救命胴衣１から手を出すことが出来るようになっている。
【００１２】
後身頃４の下方側に左右１対のループ状の股ベルトＭが取り付けられ、股ベルトＭのループにそれぞれ足を挿通することで、救命胴衣１が身体に係止されることとなるため、落水時に救命胴衣１が浮き上がっても身体の所定位置に保持される。
【００１３】
右前身頃２、左前身頃３と後身頃４は、ナイロン等の合成樹脂繊維の織布で形成した表地Ｏと裏地Ｕを有し、この表地Ｏと裏地Ｕの間には発泡合成樹脂の板状体で形成した浮力材Ｆが配されて救命胴衣１を着て落水したときに浮くようになっている。
【００１４】
救命胴衣１の左右側面の腕挿通口５ａ、５ｂは肩部６から側面上下長さの中央近傍にかけて大きさに余裕を持って設けられているため、挿通した腕ＵＤが規制されず自由に動かすことが出来るようになっている。
【００１５】
腕挿通口５ａ、５ｂ近傍には、腕ＵＤの下側を支持する腕ベルト９が設けられ、腕挿通口５ａ、５ｂを跨ぐように架設されている。
腕ベルト９は、後身頃４の左右両側の腕挿通口５ａ、５ｂ近傍に先端側に雄の係止部材９ｂを有するベルト体９ａが止着され、一方、右前身頃２、左前身頃３の腕挿通口５ａ、５ｂ近傍にそれぞれ先端側に雌の係止部材９ｄを有するベルト体９ａより短いベルト体９ｃが止着されている。
【００１６】
この腕ベルト９の雄の係止部材９ｂと雌の係止部材９ｄは図１の２点差線のように互いに係脱自在に係合するバックルを形成し、係止部材９ｂと雌の係止部材９ｄが係合されると腕ベルト９腕挿通口５ａ、５ｂの略中央を通って前後方向に架設され、腕挿通口５ａ、５ｂの腕ベルト９の上方側に腕ＵＤを挿通することで腕の腕挿通口５ａ、５ｂの下側への移動が規制され腕ベルト９によって腕ＵＤが下側から支えられることとなる。
【００１７】
この救命胴衣１を身につけ、腕ベルト９で腕挿通口５ａ、５ｂに挿通した腕ＵＤを下側から支えた状態で落水すると、身体は沈んで救命胴衣１は浮力体Ｆの浮力によって水に浮くため救命胴衣１が身体の上方にずれるが、腕ベルト９で腕挿通口５ａ、５ｂに挿通した腕ＵＤが支持されているため、腕ベルト９によって腕を中心に身体が救命胴衣１と共に水面側に引き上げられることとなる。
【００１８】
このように、救命胴衣１を身につけて水面に浮かぶと、救命胴衣１と共に身体が浮いて救命胴衣が身体から上方にずれてしまうことが防止されるため、顔を水面に出すことが容易に出来る。
【００１９】
また、図３、図４は本発明の第２実施例で、図３は救命胴衣の正面図、図４は救命胴衣の側面図である。
【００２０】
この実施例では、救命胴衣１に設けた腕挿通口５ａ、５ｂ近傍に腕ベルト９Ａが取り付けられている。
腕ベルト９Ａは中央に挿通部９ｈが形成された環状のベルト体９ｅとこのベルト体９ｅから延設された帯状の取り付け部９ｆを有し、この取り付け部９ｆを右前身頃２、左前身頃３のそれぞれの肩部６にリベットからなる止着部材９ｇで回動自在に取り付けられている。
【００２１】
救命胴衣１を身につけ、腕挿通口５ａ、５ｂに腕ＵＤを通すときに、肩部６に取り付けた腕ベルト９Ａを腕挿通口５ａ、５ｂ側に回動して腕を環状の腕ベルト９Ａ中央の挿通部９ｈにも挿通する。
この状態で落水すると、腕ベルト９Ａで腕挿通口５ａ、５ｂに挿通した腕ＵＤが支持されているため、腕ベルト９Ａによって腕ＵＤを中心に身体が救命胴衣１と共に水面側に引き上げられることとなる。
【００２２】
腕ベルト９Ａを使用しないときは図３の２点鎖点のように肩部６に垂下させておく。
このように、実施例２の救命胴衣１においても、救命胴衣１と共に身体が浮いて救命胴衣が身体から上方にずれてしまうことが防止されるため、顔を水面に出すことが容易に出来る。
その他の構成は、第１実施例と同じである。
【００２３】
なお、本願は、救命胴衣をフローティングベストで説明したが、同様にフローティングジャケットについて、長袖であっても身頃の袖取り付け口に移る部分が腕挿通口に該当するため、この部分に例えば第２実施例の環状の腕ベルト９Ａを取り付けておくことで同様の作用効果が得られる。
【産業上の利用可能性】
【００２４】
本発明は、救命胴衣全般に利用できる。
【図面の簡単な説明】
【００２５】
【図１】図１は、第１実施例で救命胴衣の正面図である。
【図２】図２は、同救命胴衣の側面図である。
【図３】図３は、第２実施例で救命胴衣の正面図である。
【図４】図４は、同救命胴衣の側面図である。
【符号の説明】
【００２６】
１    救命胴衣
２    右前身頃
３    左前身頃
４    後身頃
５ａ、５ｂ  腕挿通口
９、９Ａ    腕ベルト
【図１】
2009132339.tif 000003
【図２】
2009132339.tif 000004
【図３】
2009132339.tif 000005
【図４】
2009132339.tif 000006